(57)【特許請求の範囲】
【請求項１】
合成樹脂管の内管とこの内管の周囲に不燃性外管を被覆して構成した耐火二層管であって、直管部と、この直管部の片側端部に直管部を挿入するための受け口があり、その受け口部に装着されたゴムリングにより挿入直管を密着させる構造を有する伸縮継手付耐火二層管において、
前記直管部外管の１カ所に外管の円周方向に切断されている切断部を設け、
前記外管の端部の内管部分に、抜け防止部材を設けていることを特徴とする伸縮継手付耐火二層管。
【請求項２】
前記抜け防止部材は、ゴム輪又はホットメルトであることを特徴とする請求項１記載の伸縮継手付耐火二層管。
【請求項３】
前記直管部の切断部に目地処理材を充填したことを特徴とする請求項１又は請求項２記載の伸縮継手付耐火二層管。
【発明の詳細な説明】
【０００１】
【発明の属する技術分野】
本発明は、不燃性外管の内部に合成樹脂製の内管を有した伸縮継手付耐火二層管に関する。
【０００２】
【従来の技術】
近年、合成樹脂製の内管と不燃性の材料からなる外管とを組み合わせた耐火二層管が、集合住宅等の排水管や換気管に広く利用されている。この耐火二層管の内管には、塩ビ等の合成樹脂からなる管を用いており、耐薬品性、耐腐食性、内面平滑性、施工性等に優れた性質を有している。
その一方で、合成樹脂管の耐火性に劣る欠点を不燃性の材料からなる外管で被覆して補っている。このように、耐火性を強化してあることにより、施工後、仮に集合住宅の１箇所で出火したとしても、排水管等を伝わって他の部屋に延焼することを防止できるようになている。
【０００３】
この耐火二層管を用いた配管構造は、（耐火二層管）直管１と、（耐火二層管）管継手２とを、図４に示すように接続してある。管継手２側の受け口部に直管１の合成樹脂製の内管のみ、接着剤を用いて差し込み取り付けた構造となっている。このとき、内管と外管の長さが同一であると、管継手２側の受け口部に直管１の内管が差し込まれているので、その分だけ、外管が長くなってしまう。
ところで、この耐火二層管の配管後、熱湯、風呂の湯などを排水すると温度が上昇し、その後は、温度が下降し、それに伴い配管が熱伸縮を繰り返すこととなる。そのため、内管の材料強度が徐々に低下し、疲労破壊するおそれがあった。
これは、配管の熱伸縮による力を受けきれない構造が原因であり、その対策として伸縮継手を用いることが知られている。
【０００４】
伸縮継手３とは、図５に示すように、受け口部に装着されたゴムリング６を介して直管と管継手を接続し、配管の軸方向の熱伸縮を吸収する構造となっており、図６に示すような部位に取り付けられている。この伸縮継手３は、地震等による動きを吸収する働きも同時に備えている。
この伸縮継手には、図７に示すような形状の製品もあり、図５で示した伸縮継手と直管の耐火二層管を組み合わせて、伸縮継手付耐火二層管７を構成している。
この伸縮継手付耐火二層管７を用いた配管構造の例を図８に示してある。
図６の伸縮継手３および図７の伸縮継手付耐火二層管７を使用している縦配管において、各フロアの継手と継手の間は、直管と伸縮継手または伸縮継手付耐火二層管をつなげた形で用い、施工の際の長さ調整は直管を切断して行っている。
【０００５】
【発明が解決しようとする課題】
ところで、通常、直管の耐火二層管を長さ調整のため切断する場合、内管を両端に接続する継手受け口長さの合計長さ分だけ片方へスライドさせ（内管を外管より突出させ）、スライドさせた反対側を切断し、内管を元に戻す方法が用いられている。
しかし、伸縮継手付耐火二層管７は、内管がスライドできない構造となっており、直管側の端部の内管を継手受け口長さ分だけ残し、外管のみを切断する作業が必要となってしまう。
したがって、図３に示すように継手と継手の間を一本の伸縮継手付耐火二層管で施工した場合、接着部所の省略は可能であるが、長さ調整に手間がかかることになってしまう。
【０００６】
そこで、本発明の第１の目的は、施工時の接着手間を省くことができ、その際の長さ調整切断加工が容易な、伸縮継手付耐火二層管を提供することである。
また、本発明の第２の目的は、耐火性を維持することも考慮した伸縮継手付耐火二層管を提供することである。
【０００７】
【課題を解決するための手段】
請求項１記載の発明では、合成樹脂管の内管とこの内管の周囲に不燃性外管を被覆して構成した耐火二層管であって、直管部と、この直管部の片側端部に直管部を挿入するための受け口があり、その受け口部に装着されたゴムリングにより挿入直管を密着させる構造を有する伸縮継手付耐火二層管において、前記直管部外管の１カ所に外管の円周方向に切断されている切断部を設け、前記外管の端部の内管部分に、抜け防止部材を設けていることにより、前記第１の目的を達成する。
また、請求項２記載の発明では、請求項１記載の発明において、前記抜け防止部材は、ゴム輪又はホットメルトであることにより前記第１の目的を達成する。
【０００８】
請求項３記載の発明では、請求項１又は請求項２記載の発明において、前記直管部の切断部に目地処理材を充填したことにより、前記第２の目的を達成する。
【０００９】
【発明の実施の形態】
以下、本発明の好適な実施の形態を図１ないし図３を参照して詳細に説明する。
図１は、第１の実施の形態に係る伸縮継手付耐火二層管を示した図である。
この伸縮継手二層管７は、受け口部にゴムリング６を設けてあるが、直管部の外管４、９のみに円周状の切断部８を設けてある。
この切断部８を設けることにより、外管４の部分は固定されていては動かないが、外管９の部分は、内管５に沿ってスライドさせる動きが可能となる。
そして、伸縮継手付耐火二層管７の長さを短く調整したい場合は、外管９をスライドさせ、切断部８の部分を継手への差し込みの長さ分間隔を広げ、直管端部を外管９および内管５と一緒に切断して、外管９を元に戻す作業を行えば簡単に長さ調整を行うことができる。
【００１０】
図２は、本発明の第２の実施形態を説明する図である。
第１の実施の形態に係る伸縮継手付耐火二層管７の切断部８の部分に、耐火二層管用目地処理材または金属製目地材１０を挟み込んである。こうすることにより、施工後、この箇所が耐火性の弱点にならず、且つ強度を増すこともできる。
図３は、本実施の形態に係る伸縮継手付耐火二層管の配管を示した図である。この図に示すように、各フロアの継手と継手間の直管と伸縮継手または伸縮継手付耐火二層管をつなげた形で用いている配管構造を、伸縮継手付耐火二層管７、１本にて施行している。
また、この第１の実施の形態および第２の実施の形態は、図３に示した縦配管構造ばかりでなく、横配管構造にも使用でき、縦配管構造使用と同じ効果が得られる。
【００１１】
この第１および第２の実施の形態において、外管を単に切断したのみでは、外管が容易に抜け落ちるのを防止するために、外管９の端部の内管部分にゴム輪やホットメルト等の抜け防止用ストッパーを設置することができる。
また、これまでの配管説明は耐火二層管の直管と継手で行ってきたが、本実施の形態の伸縮継手付耐火二層管は、耐火二層管ばかりでなく、接続可能な鋼製の直管や継手、耐火二層管製や鋼製の集合管等にも用いることができる。
【００１２】
【発明の効果】
請求項１及び請求項２記載の発明では、伸縮継手付耐火二層管を用いることにより、各フロア間の縦配管施工が１本にて可能となり、施工時の接着手間を省くことができ、その際の長さ調整切断加工が容易となり、さらに、外管の端部の内管部分に抜け防止用ストッパーを設置することにより、外管が容易に抜け落ちるのを防止することができる。
請求項３記載の発明では、長さ調整を容易にするために事前に切断部分に耐火目地材を付けることにより、耐熱性を向上させることができる。
【図面の簡単な説明】
【図１】本発明の第１の実施の形態に係る伸縮継手付耐火二層管を示した図である。
【図２】本発明の第２の実施の形態に係る伸縮継手付耐火二層管を示した図である。
【図３】本発明の実施の形態に係る伸縮継手付耐火二層管の配管を示した図である。
【図４】従来の耐火二層管の配管を示した図である。
【図５】従来の伸縮継手を示した図である。
【図６】従来の伸縮継手を用いた耐火二層管の配管を示した図である。
【図７】従来の伸縮継手付耐火二層管を示した図である。
【図８】従来の伸縮継手付耐火二層管の配管を示した図である。
【符号の説明】
１  耐火二層管直管
２  耐火二層管継手
３  伸縮継手
４、９  外管
５  内管
６  ゴムリング
７  伸縮継手付耐火二層管
８  切断部
１０  目地処理材
【図１】
0004416912.tif 000002
【図２】
0004416912.tif 000003
【図３】
0004416912.tif 000004
【図４】
0004416912.tif 000005
【図５】
0004416912.tif 000006
【図６】
0004416912.tif 000007
【図７】
0004416912.tif 000008
【図８】
0004416912.tif 000009